(57)【要約】【課題】被写体追尾ＡＦ動作中に連写撮影を行う場合であっても、撮影者が被写体追尾状況を確認することを可能にした撮像装置を提供すること。【解決手段】被写体の光学像を記録する第一のセンサと、被写体の光学像を結像させ、撮影者が確認するためのファインダ部と、被写体からの光束を前記第一センサと前記ファインダ部に分岐させるミラーユニットと、前記ミラーユニットの位相を検出するためのミラー位相検出部と、前記ファインダ部近傍に配設され、被写体の光学像から撮影に必要な情報を得る第二のセンサと、前記ファインダ部内にあり、撮影者が確認するための情報を表示する情報表示部と、前記情報表示部を照明する照明部と、被写体追尾ＡＦ機能と、を備える撮像装置において、撮影動作中に、前記照明部は前記第一、第二のセンサの駆動時間外に駆動し、ミラー駆動にあわせてその発光輝度を変化させることを特徴とする。【選択図】  図１
2015225196.tif 000002
【特許請求の範囲】
【請求項１】
被写体の光学像を記録する第一のセンサ（６）と、
被写体の光学像を結像させ、撮影者が確認するためのファインダ部（１１）と、
被写体からの光束を、前記ファインダ部に導く第一の状態と、前記第一センサに導く第二の状態に移動可能なミラーユニット（７）と、
前記ミラーユニットの位相を検出するためのミラー位相検出部（８）と、
前記ファインダ部近傍に配設され、被写体の光学像から撮影に必要な情報を得る第二のセンサ（１７）と、
前記ファインダ部内にあり、撮影者が確認するための情報を表示する情報表示部（１３）と、
前記情報表示部を照明する照明部（１４）と、
被写体追尾ＡＦ機能（９）と、
を備える撮像装置において、
撮影動作中に、前記照明部は前記第一、第二のセンサの駆動時間外に駆動し、ミラー駆動にあわせてその発光輝度を変化させる
ことを特徴とする撮像装置。
【請求項２】
ミラーアップ前の照明部輝度は、前記第二のセンサの出力により決められることを特徴とする請求項１に記載の撮像装置。
【請求項３】
輝度が変化する開始と終了のタイミングは、前記ミラー位相検出部により定められることを特徴とする請求項１又は請求項２に記載の撮像装置。
【請求項４】
前記第一乃至は第二のセンサが駆動していない時間であっても、前記照明部が駆動しない時間を設けることを特徴とする請求項１乃至請求項３の何れか一項に記載の撮像装置。
【請求項５】
合焦している測距点位置に応じて、輝度変調時の変化率を変更することを特徴とする請求項１乃至請求項４の何れか一項に記載の撮像装置。
【発明の詳細な説明】
【技術分野】
【０００１】
本発明は、一眼レフレックスカメラなどの撮像装置に関し、特にスーパーインポーズ（ＳＩ）表示に関するものである。
【背景技術】
【０００２】
複数のＡＦ測距点を有するカメラ等において用いられ、選択された測距枠をファインダ視野内の被写体像に重ねて表示する、いわゆるスーパーインポーズ（以下ＳＩと呼ぶ）表示技術が知られている。一眼レフレックスカメラのＳＩ表示方法として、表示部分の被写体像を遮光することによって撮影者に認識させる遮光型の表示と、表示部分を光らせることによって認識される発光型の表示とがある。前者の例としては、ファインダ光学系内のフォーカシングスクリーン近傍に透過型の液晶表示、例えばＰＮ（ポリマーネットワーク）液晶パネルを配して、液晶表示によって光を遮る機構がある。後者の例としては、ＬＥＤを光源としてフォーカシングスクリーン上にパターン像を投影する機構がある。
【０００３】
これら双方の利点を取り入れた方式として、遮光型ＳＩ表示であるＰＮ液晶パネルを搭載し、ＰＮ液晶パネルの側面にＳＩ光源であるＬＥＤライトを配設した構造が知られている。この方式では、ＬＥＤライトを発光させるとその光がＰＮ液晶パネル内に侵入し、遮光表示されたＰＮ液晶部で光が散乱することで、ＰＮ液晶パネルの遮光表示部を発光表示させることができる。すなわち、前述の発光型と遮光型のＳＩ表示を同時に行うことが可能となる。
【０００４】
ＰＮ液晶パネルは電源印加時の透過率がＴＮ型液晶などに比べて高いため、フォーカシングスクリーン上に被写体像を結像させる一眼レフレックスカメラのファインダと相性がよく、広く用いられている。
【０００５】
ＳＩ照明を発光させる際は被写体の輝度に応じてＳＩ照明の輝度を変更する技術が用いられる。特許文献１においては、被写体輝度に応じてＳＩ照明の輝度を変調させる技術が開示されている。また、ＳＩ照明が撮像センサなどの光電変換素子へ入射して誤動作するのを避けるため、特許文献２ではミラーダウンのタイミングと同期させてＳＩ照明を発光させる技術が開示されている。
【先行技術文献】
【特許文献】
【０００６】
【特許文献１】特開平２−５６５３３号公報
【特許文献２】特開平８−４３９１４号公報
【発明の概要】
【発明が解決しようとする課題】
【０００７】
スポーツなど、動きの速い被写体を撮影する際は、被写体追尾ＡＦ（サーボＡＦ、コンティニュアスＡＦ）を使用して連写撮影を行ことがある。被写体追尾ＡＦ時は撮影コマ毎にＡＦ・ＡＥ動作を行うため、撮影者は１コマ毎に合焦点が移動するのを、ファインダを覗きながら確認する必要がある。
【０００８】
一眼レフレックスカメラにおける撮影時の動作を簡単にいうと、ＡＦ・ＡＥ動作、ミラーアップ、露光、ミラーダウン、の各動作を連続して行っている。
【０００９】
ミラーアップ動作してからミラーダウン動作が完了するまでの間はファインダに入射する光が遮られ、撮影者は被写体を認識することができない。ミラーダウン状態から、ＡＦ・ＡＥ動作が行われて合焦点が移動し、その後すぐミラーアップ動作が始まる。従って、撮影者がファインダを通して被写体を視認できるのはミラーダウン状態であるわずかな時間であり、しかのその間にＡＦ・ＡＥ動作が行われて合焦点が変化するため、撮影者が合焦点の移動を見失ってしまうことがあった。合焦点を見失わないためには、極力長い時間、撮影者に合焦点位置を知らせるために、ミラーアップ中であっても測距点位置を撮影者に知らせるため、ＳＩ照明を行うことが好ましい。
【００１０】
上述の特許文献２に記載の技術では、ミラーダウン動作中（ブラックアウトした状態から、被写体が見えるようになる直前まで）にしか、ＳＩ照明が行われないため、撮影者が合焦している測距点位置を見失うことがあった。しかし、特許文献２に開示された従来技術では、上問題を解決することはできない。
【００１１】
そこで、本発明の目的は、連写撮影を被写体追尾ＡＦ動作中に行う場合であっても、撮影者が被写体追尾状況を確認することを可能にした撮像装置を提供することである。
【課題を解決するための手段】
【００１２】
上記目的を達成するために、本発明に係る撮像装置の構成は、被写体の光学像を記録する第一のセンサ（６）と、被写体の光学像を結像させ、撮影者が確認するためのファインダ部（１１）と、被写体からの光束を前記第一センサと前記ファインダ部に分岐させるミラーユニット（７）と、前記ミラーユニットの位相を検出するためのミラー位相検出部（８）と、前記ファインダ部近傍に配設され、被写体の光学像から撮影に必要な情報を得る第二のセンサ（１７）と、前記ファインダ部内にあり、撮影者が確認するための情報を表示する情報表示部（１３）と、前記情報表示部を照明する照明部（１４）と、被写体追尾ＡＦ機能（９）と、を備える撮像装置において、撮影動作中に、前記照明部は前記第一、第二のセンサの駆動時間外に駆動し、ミラー駆動にあわせてその発光輝度を変化させることを特徴とする。
【発明の効果】
【００１３】
本発明によれば、被写体追尾ＡＦを使用した連写撮影であっても、撮影者が被写体追尾状況を確認することが可能な撮像装置を提供することができる。
【図面の簡単な説明】
【００１４】
【図１】本発明の第一の実施形態における、撮像シーケンスタイムチャートを示す。
【図２】本発明の実施形態における、一眼レフカメラの外観斜視図を示す。
【図３】本発明の実施形態における、一眼レフカメラの概略断面図を示す。
【図４】本発明の実施形態における、ファインダ部を通して見えるＳＩ表示を示す。
【図５】本発明の第二の実施形態における、撮像シーケンスタイムチャートを示す。
【図６】本発明の第三の実施形態における、撮像シーケンスタイムチャートを示す。
【図７】本発明の第四の実施形態における、ミラーユニットの状態とファインダ視野を示す。
【図８】本発明の第四の実施形態における、撮像シーケンスタイムチャートを示す。
【発明を実施するための形態】
【００１５】
以下に、本発明の好ましい実施の形態を、添付の図面に基づいて詳細に説明する。
【実施例１】
【００１６】
本発明の実施形態の例として、一眼レフカメラの構成について図２と図３を参照しながら説明する。図２は本実施例における一眼レフカメラの外観斜視図であり、（ａ）は正面から、（ｂ）は背面から見た図である。図３は本実施形態における一眼レフカメラシステムの構成を示す概略断面図である。
【００１７】
カメラ本体（撮像装置）１と、カメラ本体１に着脱可能に装着される撮影レンズ２（図１には不図示）とを有している。撮影レンズ２内には、撮影光学系２ａおよび露光量を調節するための絞り２ｂ、撮影光学系２ａ内にあるフォーカシングレンズ等を駆動するための撮影光学系駆動部２ｃが設けられている。撮影光学系２ａは図２中で一枚のレンズとして表されているが、実際は複数のレンズ群からなる光学系である。撮影レンズ２は、公知のマウント機構を介してカメラ本体１に電気的、機械的に接続される。焦点距離の異なる撮影レンズ２をカメラ本体１に装着することによって、様々な画角の撮影画面を得ることが可能である。図３中の一点鎖線は撮影レンズ２を通してカメラ本体１に入射する光線の主光線を示している。
【００１８】
カメラ本体１の外観には、レリーズ釦３、操作部材４、表示部５が配設されている。レリーズ釦３は、その操作により撮像センサ６による撮影を行う。レリーズ釦３には、ＳＷ１とＳＷ２とがあり、レリーズ釦３の第１ストロークでＳＷ１がＯＮになり、第２ストロークでＳＷ２がＯＮになる。操作部材４はカメラの各種設定を行うためのものであり、いくつかの情報は表示部５を介して撮影者が確認可能である。本実施例では表示部材５には液晶ディスプレイを使用しているが、これに限定されない。
【００１９】
６は撮像センサであり、撮像センサ６は撮影レンズ２を通して結像した被写体像を光電変換により電子データとして保存する。これは請求項中に記載の第一のセンサに相当する。本実施例においてはＣＭＯＳセンサであるが、これに限定されず、ＣＣＤなどであってもよい。
【００２０】
７はミラーユニットであり、半透過ミラーであるメインミラー７ａと、全反射ミラーであるサブミラー７ｂにて構成される。メインミラー７ａは撮影レンズ２を通して入射した光線のうち一部を反射させるとともに、残りを透過させることで、一つの光路を二つの光路に分割する。透過した光はサブミラー７ｂにて反射され、下方に設けられたＡＦ部（焦点検出部）９へと入射する。ミラーユニット７は、図３中実線の位置（ミラーダウン状態）から、撮影時には図３中点線の位置（ミラーアップ状態）へと移動し、撮影レンズ２を通して入射した光線を撮像センサ６へと導く状態へ移動することが可能である。このようなミラーユニット７の駆動は、不図示のミラーユニット７近傍に設けられたミラー駆動部によって行われる。メインミラー７ａ近傍には、メインミラー７ａの位相状態を検出するための、ミラー位相検出部８がある。本実施例では、メインミラー７ａの回転軸近傍にフォトディテクタを配することで、ミラーユニット７の位相状態を検出している。なお、位相検出手段はこれに限定されず、例えばメインミラーユニット７ａの先端近傍にフォトディテクタや接触式センサを用いてもよいし、先述の不図示のミラー駆動部にあるギア近傍に接片ブラシと位相検出パターンを設けたフレキシブルプリント基板を配設し、ギアの回転によってミラーユニット７の位相を検出する方法を用いてもよい。
【００２１】
ＡＦ部９は、複数の測距点からなる位相差ＡＦ手段である。ＡＦ部９は、光電変換センサであるＡＦセンサと、マイクロコンピュータによって構成される。サブミラー７ｂにて反射された光から被写体像までの距離を位相差検出方式で検出する。
【００２２】
１０は撮像センサ３に入射する光量を調節するためのフォーカルプレーンシャッターである。フォーカルプレーンシャッター１０は複数の遮光羽根で構成された先幕と後幕を有しており、先幕と後幕の走行タイミングを制御することで、撮像センサ６へ入射する光量を制御する。
【００２３】
撮影レンズ２を通して入射し、メインミラー７ａで反射された光線は、カメラ上部にあるファインダ部１１へと入射する。ファインダ部１１は図３中破線で囲まれた各部材を包括した機能ユニットである。
【００２４】
ファインダ部１１へと入射した光線は、まずフォーカシングスクリーン１２上に結像する。１３はＰＮ液晶パネルであり、フォーカシングスクリーン１２の近傍に配設され、フォーカシングスクリーン１２上に結像される被写体像に各種表示を重畳させることでＳＩ表示を行うためのものである。１４はＰＮ液晶パネル１３にＳＩ照明としての光を入射させるＳＩ光源である。本実施例ではＬＥＤ光源を使用している。ＰＮ液晶パネル１３及びＳＩ光源１４は、それぞれ請求項中の情報表示部と照明部に相当する。ＰＮ液晶パネル１３及びＳＩ光源１４の役割は後述する。
【００２５】
１５は光路を折り曲げ、フォーカシングスクリーン１２上の倒立像を正立像とするためのペンタダハプリズムである。１６は被写体像を観察するための接眼光学系である。接眼光学系１６は図３中では一枚のレンズとして示しているが、実際は複数のレンズによって構成されている。撮影者は接眼光学系１６を通して、フォーカシングスクリーン１２上に結像した被写体像を確認できる。接眼光学系１６の上には、ＡＥ部１７が配設されている。これは請求項中に記載の第二のセンサに相当する。ＡＥ部１７は、フォーカシングスクリーン１２上に結像した被写体像を、接眼光学系１６とは異なる角度で観察しており、ＡＥ部１７にて得られる被写体の像は接眼光学系１６を通して撮影者が観察できる像と共役である。ＡＥ部１７は光電変換素子であるＡＥセンサを有し、被写界の露出情報や被写体認識及び顔認識等の画像認識処理を行う。
【００２６】
カメラ内部には、マイクロコンピュータからなるカメラ制御部１８が搭載されている。これはカメラの動作制御および記憶を司るものであり、各要素からの情報の処理や各要素に対する指示および各情報の記憶を行う。カメラ制御部１８には、レリーズ釦３、操作部材４、表示部５、撮像センサ６、ミラー位相検出部８、ＡＦ部９、ＳＩ光源１４、ＡＥ部１７、マウント節点を介して撮影光学系駆動部２ｃが電気的に接続されている。
【００２７】
ＰＮ液晶パネル１３によるＳＩ表示について、その動作を説明する。ＰＮ液晶パネル１３は、二枚の板状ガラスの間に液晶ポリマーが封入された構成となっている。対向する二枚の板状ガラスの内面にはＩＴＯ（酸化インジウムスズ）による透明な電極が設けられている。電極を介して液晶ポリマーに電圧を印加すると、液晶ポリマーの配向が変化するため、液晶ポリマーの屈折率が変化する。これを利用してフォーカシングスクリーン１２上の像から射出される光線の透過、遮光を電気信号で変化させることが可能となる。電圧を印加した状態で板状ガラスと液晶ポリマーの屈折率が略一致するようにすれば、界面で屈折率変化がないため、入射光は透過する。電圧を印加しない場合は界面での屈折率変化によって入射光が散乱するため、遮光表示となる。ＡＦ部９の測距点位置に合わせて透明配線パターンを形成しておけば、測距点位置の透明、遮光状態を切り替える表示が可能となり、これによりＳＩ表示を行う。
【００２８】
ＳＩ光源１４はＰＮ液晶パネル１３の側面に、発光された光線がＰＮ液晶パネル１３の側面へ入射するよう配設される。ＰＮ液晶パネル１３に入射したＳＩ照明光は板状ガラス内で全反射しながら伝播する。この光線が、透明電極部に電圧が印加されていない箇所、すなわち遮光表示状態の箇所に到達した場合は、液晶ポリマーと板状ガラス界面でＳＩ照明の光線が散乱する。電圧が印加されている箇所であれば散乱しない。これにより遮光表示された箇所を発光表示させることが可能となる。
【００２９】
上述のＰＮ液晶パネル１３とＳＩ光源１４によるＳＩ表示の例を図４に示す。図４はファインダ部１１を通して見たＳＩ表示の例であり、図４（ａ）はＳＩ表示を行っていないとき、図４（ｂ）は、ＰＮ液晶パネル１３にある、すべての測距点を表示させたとき、図４（ｃ）は、合焦した測距点のみを表示させたときである。図４中では白黒二色による表示であるが、ＳＩ光源１４を発光させることで、測距点を発光表示させることが可能である。
【００３０】
図１を参照しつつ、本発明の第一の実施形態における、撮像動作時のシーケンス、すなわち駆動機構の動作と電子回路の動作を説明する。ここでは被写体追尾ＡＦ連写時の動作について説明する。図１はいわゆる撮像シーケンスタイムチャートであり、横軸が時間を、縦軸には各制御信号のＯＮ／ＯＦＦ状態やミラー位相、ＳＩ照明の輝度などを示している。
【００３１】
レリーズ釦３がＯＦＦの状態から、ＳＷ１がＯＮになったとき、ＡＥ部１７とＡＦ部９の動作が行われる。ＡＥ部１７とＡＦ部９が動作することで、測距点における距離情報と露出情報が算出される。
【００３２】
ＡＥ部１７はフォーカシングスクリーン１２上に結像した被写体像から、視野内の輝度を算出する。これに基づいて、ＳＩ光源１４の発光輝度を定める。例えば、屋外撮影など視野全体が明るい状況であれば発光輝度は高く、逆に夜間や屋内などでの撮影の場合は、発光輝度は低く設定される。
【００３３】
これと同時に、ＡＦ部９から得られた被写体との距離情報と、ＡＥ部１７から得られた被写体露出情報をもとに、カメラ制御部１８は撮影レンズ２を駆動させ、被写体像が撮像センサ６上で結像するようにする。また、算出された露出情報から適正な露光条件を算出する。
【００３４】
続いてレリーズ釦３のＳＷ２がＯＮになったとき、カメラの撮像動作が開始される。ＳＷ２−ＯＮの後、ミラー駆動が開始されミラー駆動部７が上昇（ミラーアップ動作）を開始する。ミラーアップ動作のタイミングは、ミラー位相検出部８によって検出される。
【００３５】
カメラ制御部１８はミラー位相検出部８から得られたミラー位相情報に基づいて、ＳＩ光源１４の輝度を調整する。図１中のＳＩ照明輝度の線図にあるように、ミラー上昇に伴い、ＳＩ照明輝度は低下するように制御される。
【００３６】
このようにＳＩ照明輝度を変化させる理由は、撮影者のＳＩ照明の視認性を保つためである。ミラーダウン状態では、撮影開始前に行われたＡＥ動作による露出情報をもとにＳＩ輝度を設定していたが、ミラーアップ状態ではメインミラー７ａによってファインダ部１１へ入射する光線が遮光されてしまうため、ファインダ視野はブラックアウトする状態になる。ブラックアウトした状態でＳＩ光源をミラーダウン状態と同じ輝度で発光させると、撮影者から見た場合は周辺が暗くなるのに対してＳＩ照明輝度が変わらないため、相対的にＳＩ照明が強くなったように見える。このような状態で連写撮影を行うと、撮影者のＳＩ表示の視認性を低下させるため、ミラー動作に合わせて輝度を変化させている。撮影者は、ミラー動作中は被写体を視認することはできないが測距点を照明することで測距点位置を見失いにくい。さらにＳＩ照明の輝度がミラー動作に合わせて変化することで、撮影者の視認性低下が低減される。
【００３７】
なお、本実施例ではミラー動作中のＳＩ照明輝度の変化を線型的に変化させているが、輝度変化率はこれに限定されず、曲線的乃至は非連続であっても構わない。
【００３８】
ミラーアップ動作が完了すると、フォーカルプレーンシャッター１０が駆動し、同時に撮像センサ６が動作して被写体像の光電変換（撮像動作）を行う。図１中の撮像センサがＯＮの状態になっているタイミングが、撮像センサ６が光電変換処理を行っているタイミングである。この間のＳＩ照明は、撮像センサ６が動作しているタイミングを除いて一定の輝度で発光している。撮像センサ６が駆動しているタイミングでＳＩ照明を行わないのは、ＳＩ照明光が撮像センサ６に入射して、異常な画像が撮影されることを避けるためである。
【００３９】
撮像動作が完了した後、ミラーダウン動作が行われる。ここでもミラーアップ動作時と同じく、ミラーユニット７の動作タイミングはミラー位相検出部８によって検出される。ＳＩ輝度はミラーアップ状態からミラーダウン状態になるにつれて上昇するよう制御される。ミラーダウン状態での輝度は、撮影前に行われたＡＥ動作によって決定された値に基づく。ここでＳＩ輝度を変化させる理由はミラーアップ時と同じである。
【００４０】
ミラーダウン動作が完了した後、ＡＥ動作とＡＦ動作が並行して行われる。ここで、撮影前の状態で合焦した被写体の位置を改めて確認し、再度合焦させる。この時も撮影動作時と同じく、ＳＩ光源１４を発光させると、光電変換センサを有するＡＥ部１７、ＡＦ部９にＳＩ照明光が入射し、正常な動作を妨げる可能性があるため、ＳＩ光源１４の発光は行わない。
【００４１】
ＡＥ、ＡＦ動作が完了し、合焦動作、露出設定が定まると、ＳＩ照明の発光が再開される。このときのＳＩ照明輝度は、改めて行われたＡＥ動作結果に基づく。図１中の例ではＡＥ、ＡＦ動作前と比べてＳＩ照明輝度が低くなっている。これは、二度目のＡＥ動作結果により、被写体輝度が低くなった場合を示している。
【００４２】
この後、二コマ目の撮影動作が開始される。その後の動作は一コマ目の動作と同一である。
【００４３】
以上述べたように、本発明の第一の実施例によれば、撮影動作中において、撮像センサ６、ＡＥ部１７、ＡＦ部９などで光電変換を行う必要があるタイミング以外はＳＩ照明を行い、かつそれが撮影者の視認性を損なわない。ファインダを覗く撮影者はＳＩ照明が行われている箇所、すなわち合焦点を見失いにくい。そのため撮影者は被写体追尾状況を確認しつつ連写撮影が可能となる。
【実施例２】
【００４４】
本発明の第二の実施形態の例として、図５を参照しつつ説明する。なお、図５は第二の実施例における撮影シーケンスタイムチャートのみを指している。カメラ構成は第一の実施例で説明したものと同一である。
【００４５】
第二の実施例では、ミラーダウン後のＡＥ、ＡＦの動作が行われた際、ＡＥ動作が終了した時点で、ＡＦ動作中であってもＳＩ照明を行う場合を示している。ＳＩ照明に対してＡＦ部９が十分な遮光が行われている場合は、本実施例のようにＡＥ動作が完了した時点でＳＩ照明を行うことが可能となる。
【００４６】
第二の実施例の効果としては、第一の実施例に比べてＳＩ照明を行う時間を長くすることが可能となるため、撮影者はより被写体の追尾状況を見失いにくくなる。
【実施例３】
【００４７】
本発明の第三の実施形態の例として、図６を参照しつつ説明する。なお、図６は第三の実施例における撮影シーケンスタイムチャートのみを指名している。カメラ構成は第一、第二の実施例で説明したものと同一である。
【００４８】
第三の実施例では、ＳＩ照明を行うタイミング、ＳＩ光源の輝度変化は第一の実施例と同じであるが、ＳＩ照明を間欠的に発光させている点が特徴である。
【００４９】
第三の実施例の効果としては、ＳＩ照明を間欠的に発光させることによって、撮像センサ６が動作することによってＳＩが消灯するのを撮影者がわかりにくくしている。発光、消灯の間隔を短くすると、撮影者から見ると連続的に発行しているように見えるためである。
【００５０】
第三の実施例中では撮像センサによるＳＩ消灯を視認しにくくした例であるが、他のセンサであっても適用は可能である。例えば、本実施例中のＳＩ照明間隔と同期させてＡＥ部１７を駆動させれば、ＡＥ部１７の駆動による消灯を撮影者に視認されにくくすることができる。
【実施例４】
【００５１】
本発明の第四の実施形態の例として図７および図８を参照しつつ説明する。カメラ構成は第一、第二、第三の実施例で説明したものと同一である。図７はミラーアップ動作中のメインミラー７ａとサブミラー７ｂの状態と、そのタイミングで見えるファインダ視野を示す図である。図７（ａ）はミラーダウン状態、図６（ｃ）はミラーアップ状態であり、間の図７（ｂ）はミラーアップ途中の状態である。また、図７中の矢印は撮影レンズ２を通して入射する光線である。簡単のために、撮影レンズを通して入射する光量は一様とし、フォーカシングスクリーンに到達する光量は図中の濃淡で簡易的に示している。
【００５２】
図７（ａ）の状態では、メインミラー７ａを透過した光線は、サブミラー７ｂで反射されてＡＦ部９へ入射するため、ファインダを通して見える光量は全体で均一である。しかし、図７（ｂ）のようなミラーアップ動作途中は、メインミラー７ａを透過した光線がサブミラー７ｂで反射され、図中上方にあるファインダ部１１へ入射してしまう。結果として、フォーカシングスクリーン１２に到達する光量は面内で一定ではなくなり、サブミラー５で反射された光線が見える一部が明るくなる。図７中にあるように選択された測距点、すなわちＳＩ照明する測距点がＢ部にあれば影響この影響は少ないが、Ａ部にあった場合はミラーアップ動作に合わせて輝度変化を行う際に影響が大きい。
【００５３】
本実施例はこのような問題を解決するためのものであり、選択された測距点に応じて輝度変化の割合を変化させたものである。
【００５４】
図８に図７の測距点ＡとＢの場合における輝度変化の違いを示している。図８（ａ）は測距点Ａが選択された場合の、図８（ｂ）は測距点Ｂが選択された場合の撮像シーケンスタイムチャートである。
【００５５】
先に述べた通り、Ｂ部の場合はサブミラー７ｂからの反射光による影響を受けないため、ミラー動作に合わせた輝度変化を行っている。Ａ部の場合はサブミラー７ｂによる反射光を考慮した輝度変化を設定している。ミラーアップ動作がある角度に達した際にサブミラー７ｂからの反射光がファインダ部１１へ入射するため、そのタイミングでＳＩ照明輝度を上昇させている。これにより、ミラー駆動中のサブミラー７ｂによる反射の影響によらず、いずれの測距点を選択した場合でも、撮影者から見て一定の輝度でＳＩ照明を発光させることが可能となる。
【００５６】
以上、本発明の好ましい実施形態について説明したが、本発明はこれらの実施形態に限定されず、その要旨の範囲内で種々の変形及び変更が可能である。
【符号の説明】
【００５７】
６  撮像センサ、７  ミラーユニット、８  ミラー位相検出部、９  ＡＦ部、
１１  ファインダ部、１３  ＰＮ液晶パネル、１４  ＳＩ光源、１７  ＡＥ部
【図１】
2015225196.tif 000003
【図２】
2015225196.tif 000004
【図３】
2015225196.tif 000005
【図４】
2015225196.tif 000006
【図５】
2015225196.tif 000007
【図６】
2015225196.tif 000008
【図７】
2015225196.tif 000009
【図８】
2015225196.tif 000010